【手続補正書】
【提出日】平成17年9月26日(2005.9.26)
【手続補正１】
【補正対象書類名】明細書
【補正対象項目名】全文
【補正方法】変更
【補正の内容】
【書類名】      明細書
【発明の名称】  パーソナルコンピュータ用ＭＰＵの放熱装置
【特許請求の範囲】
【請求項１】  パーソナルコンピュータのハウジング内に設けられ、かつＭＰＵから発せられる熱を放熱する放熱装置であって、放熱基板と、放熱基板の片面に切起こし状に一体に形成された複数の放熱フィンとを備えているパーソナルコンピュータ用ＭＰＵの放熱装置。
【請求項２】  放熱基板がアルミニウム押出形材製であり、放熱基板の押出方向に間隔をおいて形成された複数の放熱フィンからなりかつ放熱基板の押出方向に伸びるフィン列が、上記押出方向と直角をなす方向に並んで複数列設けられている請求項１記載のパーソナルコンピュータ用ＭＰＵの放熱装置。
【請求項３】  ＭＰＵがＭＰＵ収納ケースに収納されており、ＭＰＵ収納ケースの一側縁部に設けられた接続端子がマザーボードに接続され、ＭＰＵ収納ケースに放熱装置が取り付けられるようになされている請求項１または２記載のパーソナルコンピュータ用ＭＰＵの放熱装置。
【請求項４】  ＭＰＵ収納ケースがその一側壁部を構成する熱伝導金属板を備えており、放熱基板における放熱フィンの形成されていない面が熱伝導金属板に接触するようになされている請求項３記載のパーソナルコンピュータ用ＭＰＵの放熱装置。
【請求項５】  請求項１〜４のうちのいずれかに記載された放熱装置を備えたパーソナルコンピュータ。
【発明の詳細な説明】
【０００１】
【発明の属する技術分野】
この発明はパーソナルコンピュータ、特に好ましくはデスクトップ型パーソナルコンピュータに用いられ、かつパーソナルコンピュータのハウジング内に配されたＭＰＵ（マイクロプロセッサユニット）から発せられる熱をハウジング外に放熱する放熱装置に関する。
【０００２】
【従来の技術】
一般に、デスクトップ型パーソナルコンピュータにおいては、その構成要素であるＭＰＵから発せられる熱をハウジングの外部に放熱する必要がある。とくに、パーソナルコンピュータの分野では、最近、多機能化や処理速度の高速化が著しく、その結果ＭＰＵの出力が増大し、発熱量が著しく増加している。
【０００３】
従来のヒートシンクは、押出形材製放熱基板、ダイカスト製放熱基板、あるいはまた鍛造による放熱基板に、アクティブフィンが取り付けられたものであり、ヒートシンクと、ＭＰＵが収納されたケースとの結合は、ねじ止め、リベット止めが主流であった。
【０００４】
【発明が解決しようとする課題】
しかしながら、このような従来の放熱装置では、組立て工数が多くかかり、かつトルク管理が必要で、コスト・品質面で問題があった。
【０００５】
また、最近では、ヒートシンクと、ＭＰＵが収納されたケースとの結合手段としていわゆるクリップ止めも増加しているが、ファン冷却の場合、通風ダクト、ヒートシンク、ＭＰＵ収納ケースを結合するさい、ダクトからの冷却風の洩れがあると、ヒートシンクに規定量の冷却風を送ることができず、性能不足をきたすという問題があり、このため従来は、通風ダクトとヒートシンク、ＭＰＵ収納ケースとヒートシンクを別々に結合するか、またはある程度の冷却風洩れを見込んで、三者を一体に結合していた。
【０００６】
このようなクリップ止めによるヒートシンクとＭＰＵ収納ケースとの結合方法としては、例えば特開平７−１５３８７９号公報記載のヒートシンクと装着部材の組合わせ、特開平７−１８３６７９号公報記載の電気絶縁性の留め具を備えたクランプ組立体、および特開平８−２０４０７８号公報記載のヒートシンクアッセンブリーが知られているが、いずれも、ヒートシンクを放熱フィンの側から取り付けたクリップを用いて止めており、しかもクリップによる結合作業がワンタッチでなく、比較的面倒なものであるという問題があった。
【０００７】
この発明の目的は、上記従来技術の問題を解決し、ハウジング内においてＭＰＵから発せられる熱をハウジングの外部に充分に放熱することができて、放熱性能が優れており、しかも部品点数が少なくてすむために、製造コストが非常に安くつくパーソナルコンピュータ用ＭＰＵの放熱装置を提供することにある。
【０００８】
【課題を解決するための手段】
請求項１の発明によるパーソナルコンピュータ用ＭＰＵの放熱装置は、パーソナルコンピュータのハウジング内に設けられ、かつＭＰＵから発せられる熱を放熱する放熱装置であって、放熱基板と、放熱基板の片面に切り起こし状に一体に形成された複数の放熱フィンとを備えているものである。
【０００９】
請求項２の発明によるパーソナルコンピュータ用ＭＰＵの放熱装置は、請求項１の発明において、放熱基板がアルミニウム押出形材製であり、放熱基板の押出方向に間隔をおいて形成された複数の放熱フィンからなりかつ放熱基板の押出方向に伸びるフィン列が、上記押出方向と直角をなす方向に並んで複数列設けられているものである。
【００１０】
請求項３の発明によるパーソナルコンピュータ用ＭＰＵの放熱装置は、請求項１または２の発明において、ＭＰＵがＭＰＵ収納ケースに収納されており、ＭＰＵ収納ケースの一側縁部に設けられた接続端子がマザーボードに接続され、ＭＰＵ収納ケースに放熱装置が取り付けられるようになされているものである。
【００１１】
請求項４の発明によるパーソナルコンピュータ用ＭＰＵの放熱装置は、請求項３の発明において、ＭＰＵ収納ケースがその一側壁部を構成する熱伝導金属板を備えており、放熱基板における放熱フィンの形成されていない面が熱伝導金属板に接触するようになされているものである。
【００１２】
請求項５の発明によるパーソナルコンピュータは、請求項１〜４のうちのいずれかに記載された放熱装置を備えたものである。
【００１３】
【発明の実施の形態】
つぎに、この発明の実施の形態を、図面を参照して説明する。
【００１４】
この明細書において、図１の左側を前、これと反対側を後といい、図３の上下、左右をそれぞれ上下、左右というものとする。また、この明細書の以下の説明において、「アルミニウム」という語には、純アルミニウムの他にアルミニウム合金を含むものとする。
【００１５】
図１はこの発明による放熱装置を備えたデスクトップ型パーソナルコンピュータの概略全体図を示している。
【００１６】
同図において、この発明による放熱装置は、デスクトップ型パーソナルコンピュータのハウジング(1)内に配されたＭＰＵ収納ケース(2)のＭＰＵ（図示略）から発せられる熱をハウジング(1)外に放熱するものである。
【００１７】
ＭＰＵ収納ケース(2)は箱形カートリッジタイプであって、このＭＰＵ収納ケース(2)の一側壁部を構成するアルミニウム製熱伝導金属板(3)の外面に、放熱フィン(6)を内蔵したダクト形の放熱ユニット(4)が取り付けられるものである（図３参照）。
【００１８】
なお、ＭＰＵ収納ケース(2)の左側縁部には接続端子（図示略）が設けられていて、この接続端子が、ハウジング(1)内に配置されたマザーボード(34)に接続されるようになっている。
【００１９】
上記ダクト形放熱ユニット(4)は、ハウジング(1)内に設けられた主ダクト(30)の後端部(30a)に連通状に接続されている。主ダクト(30)の前端部(30b)に連なるハウジング前側壁(1a)の放熱用開口(33)に、ハウジング(1)内の空気を、放熱フィン(6)に通した後放熱用開口(33)からハウジング(1)外に送り出す１つのファン(31)が備えられている。同ハウジング(1)の後壁下部に、冷却風を取り入れる通風口(32)が設けられている。
【００２０】
図２〜図４は、この発明の第１実施形態を詳しく示すものである。同図において、ダクト形放熱ユニット(4)は、アルミニウム押出形材製放熱基板(5)と、放熱基板(5)の上面に切起こし状に設けられた正面よりみて左方に凹んだ凹弧形の放熱フィン(6)と、放熱フィン(6)を囲むように放熱基板(5)に組み合わせられる正面よりみて略逆Ｕ形のアルミニウム製のダクト形成用フィン・カバー(7) と、ＭＰＵ収納ケース(2)の熱伝導金属板(3)の差込み孔(10)(10)に差し込まれる取付用フック(9)(9)を有しかつ組合わせ状態の放熱基板(5)およびフィン・カバー(7) 同士を外側から抱き止める正面よりみて略Ｕ形のばね鋼製のクリップ(8) とよりなるものである。
【００２１】
アルミニウム押出形材製放熱基板(5)の下面には、クリップ(8) の下部水平部(8a)を嵌め止める一対の凹溝(13)(13)が、放熱基板(5)の押出方向（左右方向）に伸びるように設けられている。これらの凹溝(13)(13)は、クリップ(8)(8)の位置ずれ（横ずれ）防止のためのものである。
【００２２】
放熱基板(5)の上面に、放熱基板(5)の押出方向（左右方向）に間隔をおいて切起こし状に形成された複数の放熱フィン(6)からなりかつ左右方向に伸びるフィン列が、凹溝(13)(13)に対して直角をなす方向（上記押出方向と直角をなす方向）に並んで複数列設けられている。このような放熱フィン(6)によれば、フィン・ピッチを自由に設定することができて、フィン(6)を狭い間隔で配置することができ、放熱効率がすぐれたものとなる。
【００２３】
これに対し、放熱基板(5)のフィンを、押出成形のさいに放熱基板(5)と一体にその押出方向と同じ方向を向くように形成する場合には、フィン間隔を小さくすることができず、従って放熱効率が良くない。
【００２４】
フィン・カバー(7)は、相互に直角状に連なる平板状の左側壁部(7a)および上側壁部(7b)と、ダクトのいわゆるエア・パスの防止のために放熱フィン(6)と同様の正面よりみて左方に凹んだ凹弧形になされた右側壁部(7c)とよりなり、凹弧形の右側壁部(7c)の下端部には、放熱基板(5)の右側面に当接せしめられる細い帯状の接続縁部(7d)が形成されている。
【００２５】
クリップ(8)はばね鋼板を用いて、全体として正面からみて略Ｕ形となるように一体成形されたものであって、放熱基板(5)の凹溝(13)内に入り込むクリップベース部(8a)と、これの左右両端に連なって上方に伸びるアーム部(8b)(8b)とを備えている。クリップベース部(8a)およびアーム部(8b)(8b)は、共に前後両側に補強壁部(11)(11)を有する横断面コ形となされている。なお、放熱基板(5)下面の下向きに開口した凹溝(13)の深さは、クリップ(8)の前後両補強壁部(11)(11)を含むベース部(8a)が入り込むように、これの高さより深い深さを有している。
【００２６】
クリップベース部(8a)には、左右方向に間隔をおいてベース部(8a)から切り起こされた取付用フック(9)(9)が設けられている。各取付用フック(9)は立上がり基部(9a)と横向きＵ字状先端屈曲部(9b)とを備え、いわゆるばね性を有している。また、先端屈曲部(9b)(9b)が外向きに屈曲せしめられていて、いわゆる外開き締めとなされている。なお、ベース部(8a)には、２つの取付用フック(9)(9)を切り起こしにより設けた結果、２つの切欠き孔(12)(12)が形成されている。各取付用フック(9)の立上がり基部(9a)(9a)の高さは、クリップベース部(8a)下面からＭＰＵ収納ケース(2)の熱伝導金属板(3)の内表面までの高さより若干低くしておく。
【００２７】
また、クリップ(8)の左右両アーム部(8b)(8b)の先端に、それぞれ内側にのびるプレート状押え部(8c)(8c)が一体に形成されている。各押え部(8c)の中央部には段部が設けられており、これらの押え部(8c)(8c)によってフィン・カバー(7)の上側壁部(7b)、ひいては放熱フィン(6)群の先端部をしっかりと押え付けるようになされている。そして、クリップ(8)の前後両補強壁部(11)(11)を含むベース部(8a)が、放熱基板(5)下面の凹溝(13)に入り込んで凹溝(13)の底面と密着するようになされている。
【００２８】
上記において、ダクト形放熱ユニット(4)の放熱フィン(6)を有する放熱基板(5)に対し、正面よりみて略逆Ｕ形のダクト形成用フィン・カバー(7)を、放熱フィン(6)群を囲むように組み合わせた後、取付用フック(9)(9)を有する一対のクリップ(8)(8)を、組合わせ状態の放熱基板(5)およびフィン・カバー(7)に被せて、これらを外側から抱き止める。このとき、各クリップ(8)のベース部(8a)が、放熱基板(5)下面の凹溝(13)に嵌まり込み、放熱基板(5)に対するクリップ(8)の位置ずれ（横ずれ）が防止される。そして、各クリップ(8)の左右両アーム部(8b)(8b)によってフィン・カバー(7)の左右両側壁部(7a)(7c)を挟み付けて押えることができるとともに、押え部(8c)(8c)によってフィン・カバー(7)の上側壁部(7b)、ひいては放熱フィン(6)群の先端部を押え付けることができる。このとき、クリップ(8)の押え部(8c)(8c)の押え角を充分にとっておき、放熱フィン(6)群の先端部をしっかりと押え付けるようにする。
【００２９】
また、フィン・カバー(7)の左側壁部(7a)の下縁部が放熱基板(5)の左側面に当接せしめられるとともに、右側壁部(7c)先端の接続縁部(7d)が放熱基板(5)の右側面に面接触させられるので、エア洩れを防止することができる。
【００３０】
さらに、クリップ(8)は、一体成形によりつくられているため、加工の手間を省くことができ、かつ部品点数を減少せしめることができる。
【００３１】
なお、この第１実施形態では、クリップ(8)のベース部(8a)は、前後両側に補強壁部(11)(11)を有していて、強度が大きいものとなされ、これに対し、クリップ(8)の左右両アーム部(8b)(8b)の押え部(8c)(8c)がプレート状となされていて、相対的に強度が弱いものとなされ、ベース部(8a)側の変形が阻止されるように配慮されている。
【００３２】
上記構成のダクト形放熱ユニット(4)を、ＭＰＵ収納ケース(2)の一側壁部を構成する熱伝導金属板(3)の片面に取り付けるには、熱伝導金属板(3)の差込み孔(10)(10)に、各クリップ(8)のベース部(8a)の取付用フック(9)(9)を差し込めば良い。
【００３３】
すると、各取付用フック(9)の立上がり基部(9a)(9a)および先端屈曲部(9b)(9b)は、素材の弾発力に抗して一旦内側に押し込まれて、立上がり基部(9a)(9a)が内側に揺動し、先端屈曲部(9b)(9b)が熱伝導金属板(3)の差込み孔(10)を通過した時点で弾発力により立上がり基部(9a)(9a)および先端屈曲部(9b)(9b)が元の状態に復帰して、先端屈曲部(9b)(9b)がＭＰＵ収納ケース(2)の内側において熱伝導金属板(3)の差込み孔(10)周縁部に掛り合い、ダクト形放熱ユニット(4)がＭＰＵ収納ケース(2)の熱伝導金属板(3)に取り付けられるものである。
【００３４】
ここで、クリップ(8)のベース部(8a)の各取付用フック(9)の立上がり基部(9a)(9a)の高さは、クリップベース部(8a)下面からＭＰＵ収納ケース(2)側の熱伝導金属板(3)の内表面までの高さより若干短くなっているので、取付用フック(9)の先端屈曲部(9b)(9b)が、ＭＰＵ収納ケース(2)の熱伝導金属板(3)の差込み孔(10)より内部に入り込んださいに、差込み孔(10)周縁の一側部にしっかりと掛かり合って、ＭＰＵ収納ケース(2)側の熱伝導金属板(3)と、ダクト形放熱ユニット(4)の放熱基板(5)との接触不良を防止することができる（図３参照）。
【００３５】
上記において、デスクトップ型パーソナルコンピュータのハウジング(1)の側壁(1a)の放熱用開口(33)に設けられたファン(31)を作動させると、ハウジング(1)外の低温の空気が通風口(32)から吸い込まれる。この低温の空気が、ダクト形放熱ユニット(4)内の放熱フィン(6)に導かれて、ＭＰＵ収納ケース(2)内のＭＰＵから発生した熱が放熱フィン(6)を介して放出されて、空気が加熱される。この加熱空気は主ダクト(30)を通ってハウジング側壁(1a)の放熱用開口(33)からハウジング(3)外に速やかに吐出される。従って、放熱フィン(6)を介しての放熱性能が優れたものになる。
【００３６】
なお、放熱フィン(6)は、その幅方向を図３の紙面表裏方向に向けているので、風はダクト形ユニット(4)内を放熱フィン(6)に沿って流れる。
【００３７】
上記第１実施形態のダクト形放熱ユニット(4)によれば、取付用フック(9)(9)を有するクリップ(8)によって、ＭＰＵ収納ケース(2)の一側壁部を構成する熱伝導金属板(3)の片面にダクト形放熱ユニット(4)をワンタッチできわめてに簡単に、しかも強固に取り付けあるいは取り外すことができ、非常に便利である。また冷却風の洩れやパスを防止することができて、冷却性能がすぐれているうえに、放熱ユニット(4)を構成する放熱フィン(6)付き放熱基板(5)およびダクト形成用フィン・カバー(7)同士を強固に組み合わせることができる。
【００３８】
なお、上記ダクト形成用フィン・カバー(7)は、アルミニウム製であるが、これは樹脂製であっても良い。また、クリップ(8)は、ばね鋼製であるが、これはその他、樹脂製、樹脂被覆金属板製などであっても良い。
【００３９】
図５および図６は、この発明の第２実施形態を示すものである。
【００４０】
ここで、上記第１実施形態の場合と異なる点は、ばね鋼製の略Ｕ形クリップ(8)の取付用フック(9)(9)の先端屈曲部(9b)(9b)が横向きＶ字状であり、かつ上記第１実施形態の場合とは逆に、内向きに屈曲せしめられていて、いわゆる内開き締めとなされている点にある。
【００４１】
この第２実施形態のその他の点は、上記第１実施形態の場合と同様であるので、図面において同一のものには同一の符号を付した。
【００４２】
図７および図８は、この発明の第３の実施形態を示すものである。
【００４３】
ここで、上記第１実施形態の場合と異なる点は、ダクト形放熱ユニット(4)の放熱フィン(6)を有する放熱基板(5)と、正面よりみて略逆Ｕ形のダクト形成用フィン・カバー(7)と、正面よりみて逆Ｕ形のクリップ(17)との結合方法にある。
【００４４】
すなわち、アルミニウム押出形材製の放熱基板(5)の下面に蟻溝（内部拡大凹溝）(18)が押出成形により水平状に設けられ、放熱基板(5)の左右両端面に幅狭の凹溝(14)(14)がそれぞれ切削加工により水平に設けられている。
【００４５】
また、図示の逆Ｕ形クリップ(17)の取付用フック(9)(9)は、これらの先端屈曲部(9b)(9b)が外向きに屈曲せしめられていて、いわゆる外開き締めとなされている。なお、逆Ｕ形のクリップ(17)の基部(17a) の前後両側縁部には、蟻溝(18)の開口両側縁部に係り合う張出部(19)(19)がそれぞれ設けられている。
【００４６】
また、ダクト形成用フィン・カバー(7)の左右側壁部(7a)(7c)の下縁部に、放熱基板(5)の凹溝(14)(14)に嵌め入れられる係合凸部(15)(15)がそれぞれ内方突出状に設けられるとともに、位置ずれ防止用凸部(16)(16)が係合凸部(15)(15)よりも内方に突出するようにそれぞれ内方突出状に設けられている。
【００４７】
放熱基板(5)の蟻溝(18)には、クリップ(17)の基部(17a) が嵌め入れられて、これの前後両張出部(19)(19)が蟻溝(18)の開口前後両側縁部に係合させられる。そして、放熱フィン(6)を囲むように放熱基板(5)にフィン・カバー(7)が組み合わせられて、フィン・カバー(7)の左右側壁部(7a)(7c)の係合凸部(15)(15)が、放熱基板(5)の凹溝(14)(14)に嵌め入れられ、かつ位置ずれ防止用凸部(16)(16)が、放熱基板(5)下面の蟻溝(18)の左右両端部分に差し込まれている。
【００４８】
上記構成のダクト形放熱ユニット(4)を、ＭＰＵ収納ケース(2)の一側壁部を構成する熱伝導金属板(3)の片面に取り付けるには、熱伝導金属板(3)の差込み孔(10)(10)に、クリップ(17)の取付用フック(9)(9)を差し込めば良く、両取付用フック(9)(9)はいわゆるばね性を有していて、これをワンタッチで簡単に取り付けあるいは取り外すことができる。
【００４９】
この第３実施形態によれば、放熱基板(5)の蟻溝(18)によって逆Ｕ形クリップ(17)を簡単に取付けることができ、フィン・カバー(7)の左右両位置ずれ防止用凸部(16)(16)が放熱基板(5)の蟻溝(18)の左右両端部分に差し込まれることにより、逆Ｕ形クリップ(17)の脱出が阻止される。同時に、フィン・カバー(7)の位置ずれを防止することができる。
【００５０】
また、フィン・カバー(7)の左右側壁部(7a)(7c)の係合凸部(15)(15)が、放熱基板(5)の凹溝(14)(14)に嵌め入れられることにより、フィン・カバー(7)の浮き上がりを防止することができるとともに、エア洩れを防止することができる。
【００５１】
この第３実施形態のその他の点は、上記第１実施形態の場合と同様であるので、図面において同一のものには同一の符号を付した。
【００５２】
図９および図１０は、この発明の第４の実施形態を示すものである。ここで、上記第３実施形態の場合と異なる点は、逆Ｕ形クリップ(17)の取付用フック(9)(9)の先端屈曲部(9b)(9b)が、上記第３実施形態の場合とは逆に、内向きに屈曲せしめられていて、いわゆる内開き締めとなされている点にある。
【００５３】
また、放熱基板(5)の上面に、左右方向に間隔をおいて切起こし状に形成された複数の放熱フィン(6)からなるフィン列が、前後方向に並んで５列設けられており、かつ隣り合う２列の放熱フィン(6)のうち、一方の列の放熱フィン(6)同士の間の間隙に、他方の列の放熱フィン(6)が位置するように、隣り合う列のフィン・ピッチが設定されていて、すべての列のフィン(6)に対して風が充分に接触するようになされており、これにより熱交換性能が向上させられている。
【００５４】
この第４実施形態のその他の点は、上記第３実施形態の場合と同様であるので、図面において同一のものには同一の符号を付した。
【００５５】
図１１および図１２は、この発明の第５の実施形態を示すものである。
【００５６】
ここで、上記第１実施形態の場合と異なる点は、ダクト形放熱ユニット(4)の放熱フィン(6)を有する放熱基板(5)と、ダクト形成用フィン・カバー(7)と、正面よりみて略逆Ｕ形のばね鋼製のクリップ(21)との結合方法にある。
【００５７】
すなわち、アルミニウム押出形材製放熱基板(5)の放熱フィン(6)の前後に隣り合う列同士の間に略逆Ｕ形クリップ嵌入れ用空隙部(22)が水平に設けられるとともに、放熱基板(5)の該空隙部(22)に対応する部分に左右一対の貫通孔(23)(23)が設けられている。なお、放熱基板(5)の押出方向は左右方向であり、放熱基板(5)の並列状のフィン(6)からなる列同士の間に空隙部(22)を形成するには、押出形材製放熱基板(5)のフィン立て面の対応箇所にフィン立て用の厚肉部を設けなければ良いものである。
【００５８】
一方、ダクト形成用フィン・カバー(7)の左右両側壁部(7a)(7c)の下縁部にそれぞれ切欠き部(24)(25)が形成されている。
【００５９】
略逆Ｕ形クリップ(21)の左右両端部寄り部分に内方折込み部(21a)(21a)がそれぞれ設けられ、内方折込み部(21a)(21a)の先端に連なるようにＭＰＵ収納ケース(2)への取付用フック(9)(9)がそれぞれ設けられている。
【００６０】
各取付用フック(9)は立上がり基部(9a)と先端屈曲部(9b)とを備え、いわゆるばね性を有している。また、先端屈曲部(9b)(9b)が外向きに屈曲せしめられていて、いわゆる外開き締めとなされている。なお、各取付用フック(9)の立上がり基部(9a)(9a)の高さは、放熱基板(5)の上面からＭＰＵ収納ケース(2)側の熱伝導金属板(3)の内表面までの高さより若干短くしておく。そして、この略逆Ｕ形クリップ(21)の左右両側辺部(21b)(21b)と上側辺部(21c) とによってフィン・カバー(7)を外側から抱くようになされている。
【００６１】
放熱基板(5)にフィン・カバー(7)が組み合わせられて、フィン・カバー(7)に略逆Ｕ形クリップ(21)が嵌め被せられ、内方折込み部(21a)(21a)が、ダクト形成用フィン・カバー(7)の左右両側壁部(7a)(7c)の切欠き部(24)(25)を通して放熱基板(5)の空隙部(22)に嵌め入れられる。また、略逆Ｕ形クリップ(21)両端部の取付用フック(9)(9)は、放熱基板(5)の貫通孔(23)(23)に挿通せしめられている。なお、ダクト形成用フィン・カバー(7)に略逆Ｕ形クリップ(21)が嵌め被せられたさい、内方折込み部(21a)(21a)が、フィン・カバー(7)の切欠き部(24)(25)に通されるため、放熱基板(5)に対するフィン・カバー(7)の位置ずれを防止して固定することができる。
【００６２】
上記構成のダクト形放熱ユニット(4)を、ＭＰＵ収納ケース(2)の一側壁部を構成する熱伝導金属板(3)の片面に取り付けるには、熱伝導金属板(3)の差込み孔(10)(10)に、各略逆Ｕ形クリップ(21)の取付用フック(9)(9)を差し込めば良く、両取付用フック(9)(9)はばね性を有していて、これをワンタッチで簡単に取り付けあるいは取り外すことができる。
【００６３】
また、この発明の第５実施形態の放熱装置によれば、放熱基板(5)の放熱フィン(6)が切起こし状に形成されたものであるから、放熱フィン(6)の列同士の間に空隙部(22)を形成するのが非常に簡単である。
【００６４】
図１３および図１４は、この発明の第６の実施形態を示すものである。
【００６５】
ここで、上記第１実施形態の場合と異なる点は、ダクト形放熱ユニット(4)の放熱フィン(6)を有する放熱基板(5)と、ダクト形成用フィン・カバー(7)と、ばね鋼製の正面よりみて逆Ｕ形のクリップ(26)との結合方法にある。
【００６６】
すなわち、ダクト形成用フィン・カバー(7)の左右側壁部(7a)(7c)の端部に、並列状放熱フィン(6)の列同士の間の空隙部(22)の両端部分に差し込まれるカバー固定用凸部(27)(27)がそれぞれ内方突出状に設けられている。
【００６７】
放熱基板(5)の空隙部(22)に逆Ｕ形クリップ(26)が嵌め入れられて、これの両端の取付用フック(9)(9)が放熱基板(5)の貫通孔(23)(23)に挿通せしめられている。なお、放熱基板(5)に対する逆Ｕ形クリップ(26)の取付けは、例えば接着剤で接合することにより、あるいはまたビスで固定することにより行なわれる。
【００６８】
そして、放熱基板(5)にフィン・カバー(7)が組み合わせられて、フィン・カバー(7)の左右側壁部(7a)(7c)の係合凸部(15)(15)が、放熱基板(5)の左右両側面の凹溝(14)(14)に嵌め入れられることにより、フィン・カバー(7)の浮上がりを防止することができるとともに、エア洩れを防止することができる。また同時に、カバー固定用凸部(27)(27)が、放熱基板(5)の並列状放熱フィン(6)の列同士の間の空隙部(22)に嵌め入れられて、カバー固定用用凸部(27)(27)が放熱基板(5)の上面に圧接せしめられることにより、放熱基板(5)に対するフィン・カバー(7)の取付けが強固なものとなされている。
【００６９】
なお、上記構成のダクト形放熱ユニット(4)を、ＭＰＵ収納ケース(2)の一側壁部を構成する熱伝導金属板(3)の片面に取り付けるには、熱伝導金属板(3)の差込み孔(10)(10)に、各逆Ｕ形クリップ(26)の取付用フック(9)(9)を差し込めば良く、両取付用フック(9)(9)はばね性を有していて、これをワンタッチで簡単に取り付けあるいは取り外すことができる。
【００７０】
図１５は、この発明の第７の実施形態を示すものである。
【００７１】
ここで、上記第６実施形態の場合と異なる点は、クリップ(28)がいわゆる戻止め凸部付き開脚ピン・タイプのものとなされている点にある。
【００７２】
ここで、ピン形クリップ(28)は例えば合成樹脂製であり、これは円形頭部(28a) と、これの下面に一体に設けられかつ先端に戻止め凸部(29)を有する複数の脚部(28b) とを備え、断面略矢印形を有していて、戻止め凸部(29)の外面にテーパーが付けられている。脚部(28b) 同士の間には、脚部(28b) の内側への揺動が可能なように間隙が開けられている。
【００７３】
一方、アルミニウム押出形材製の放熱基板(5)の一対の貫通孔(23)(23)は、ピン形クリップ(28)の複数の脚部(28b) を挿通するためのものとなされている。
【００７４】
放熱基板(5)に対するピン形クリップ(28)の固定は、放熱基板(5)側の貫通孔(23)(23)にピン形クリップ(28)の複数の戻止め凸部(29)付き脚部(28b) を挿通したのち、ピン形クリップ(28)の頭部(28a) 下面を放熱基板(5)の上面に例えば接着剤を用いて接合することにより行なわれる。
【００７５】
そして、ダクト形放熱ユニット(4)を、ＭＰＵ収納ケース(2)の一側壁部を構成する熱伝導金属板(3)の片面に取り付けるには、熱伝導金属板(3)の差込み孔(10)に、放熱基板(5)より突出したピン形クリップ(28)の複数の脚部(28b) の戻止め凸部(29)付き先端部を差し込めば良い。
【００７６】
すると、戻止め凸部(29)のテーパー状外面により脚部(28b) の先端部は、合成樹脂素材の弾発力に抗して一旦内側に押し込まれて、戻止め凸部(29)付き脚部(28b) が内側に揺動し、熱伝導金属板(3)の差込み孔(10)を通過した時点で弾発力により脚部(28b) が元の状態に復帰して、戻止め凸部(29)がＭＰＵ収納ケース(2)の内側において熱伝導金属板(3)の差込み孔(10)周縁部に掛り合い、ダクト形放熱ユニット(4)がＭＰＵ収納ケース(2)の熱伝導金属板(3)にワンタッチで簡単に取り付けられるものである。
【００７７】
なお、ピン形クリップは放熱基板(5)への取付けが簡単であり、しかもピン形クリップは、通常、合成樹脂製であるため、非常に安価に入手することができる。
【００７８】
この第７実施形態のその他の点は、上記第６実施形態の場合と同様であるので、図面において同一のものには同一の符号を付した。
【００７９】
【発明の効果】
この発明の請求項１記載の放熱装置は、片面が平坦面となされた放熱基板と、放熱基板の他面に切り起こし状に一体に形成された複数の放熱フィンとを備えているので、従来品に比べて、放熱フィンを多数形成することができ、ハウジング内においてＭＰＵから発せられる熱をハウジングの外部に充分に放熱することができて、放熱性能が優れているという効果を奏する。
【図面の簡単な説明】
【図１】
この発明による放熱装置を備えたデスクトップ型パーソナルコンピュータの概略全体図を示す断面図である。
【図２】
この発明の第１実施形態の放熱装置とＭＰＵ収納ケースの組み合わせ前の状態を示す斜視図である。
【図３】
図２の放熱装置の拡大水平断面図である。
【図４】
図２の放熱装置の分解斜視図である。
【図５】
この発明の第２実施形態の放熱装置の拡大水平断面図である。
【図６】
図５の放熱装置の分解斜視図である。
【図７】
この発明の第３実施形態の放熱装置の拡大水平断面図である。
【図８】
図７の放熱装置の分解斜視図である。
【図９】
この発明の第４実施形態の放熱装置の拡大水平断面図である。
【図１０】
図９の放熱装置の分解斜視図である。
【図１１】
この発明の第５実施形態の放熱装置の拡大水平断面図である。
【図１２】
図１１の放熱装置の分解斜視図である。
【図１３】
この発明の第６実施形態の放熱装置の拡大水平断面図である。
【図１４】
図１３の放熱装置の分解斜視図である。
【図１５】
この発明の第７実施形態の放熱装置の拡大水平断面図である。
【符号の説明】
１      ハウジング
２      ＭＰＵ収納ケース
５      放熱基板
６      放熱フィン